(57)【要約】【課題】  鉛筆は、ある程度短くなると使いにくくなる。本発明は、短い鉛筆を２本継ぎ足して使うことの出来る、鉛筆継ぎ足しキャップを提供する。【解決手段】  Ｃ状の筒本体に、テーパーは無く、奥になるほど内径を小さくはしておらず、隙間を設け少し広がる形状で、Ｃ状の筒本体内の中央に鉛筆より少し小さく細い外径で短い筒の芯を設け、Ｃ状の筒本体の内径を、鉛筆の外径より小さくし、これで鉛筆をＣ状の筒本体に差し込む時に、少し広がる事により締め付けが効き固定される。それから、Ｃ状の筒本体と短い筒の芯の接合面全てを接着するのではなく、短い筒の芯の中央に設けた接着面でＣ状の筒本体を接着する。  以上の構成を特徴とする鉛筆継ぎ足しキャップ。【選択図】図１
2017132241.tif 000002
【特許請求の範囲】
【請求項１】
Ｃ状の筒本体の内の中央に外径が鉛筆より少し小さく細く内部は空間の筒状でＣ状の筒本体より短い筒の芯を挿入して固定し、Ｃ状の筒本体の内径が鉛筆より小さく鉛筆をＣ状の筒の筒本体に差し込む時に少し広げて挿入する事で締め付けが効き鉛筆とＣ状の筒本体の固定になり、短い筒の芯の外側に溝を環状に２本設け、２本の溝で短い筒の芯の外側を３分割し、溝と溝の間に接着面を設け、Ｃ状の筒本体と短い筒の芯の接着面で固定し、両側の短い筒の芯の端と溝の間は接着せずＣ状の筒本体が少し広がる形状で鉛筆の後部が短い筒の芯の端に当たり止まるまで入り締め付けが効き、Ｃ状の筒本体両側に隙間を設け少し広がる形状で鉛筆が引き抜きやすくなることを特徴とする鉛筆継ぎ足しキャップ。
【発明の詳細な説明】
【技術分野】
【０００１】  本発明は、Ｃ状の筒で両側に短い鉛筆を２本差し込み、全体でひとつの鉛筆として使用出来る、鉛筆継ぎ足しキャップに関するものである。
【技術背景】
【０００２】  鉛筆は使用していくと短くなり使いにくくなる。
短く使いにくくなった鉛筆を使うには補助軸を使用するか、鉛筆キャップを鉛筆の後ろにはめて使用するか、長い鉛筆に接着して使うかである。
【先行技術文献】
【特許文献】
【０００３】
【特許文献１】登録実用新案第３１５３２０１号公報
【特許文献２】登録実用新案第３１５１８３７号公報
【発明の概要】
【発明が解決しようとする課題】
【０００４】  鉛筆キャップを鉛筆の後部にはめて使うときは、鉛筆キャップの寸法が短く、短くなった鉛筆と組み合わせても必要な長さが得られない。
補助軸を使うと長さは解決しますが、使用中に気がつかず鉛筆の固定が緩むと鉛筆がずれることがあり、締め付け部品のうちひとつが割れて折れると使えなくなる。
【課題を解決するための手段】
【０００５】  Ｃ状の筒本体は、隙間を設け少し広がる形状で、テーパーは無く、奥になるほど内径を小さくはしておらず、Ｃ状の筒本体内の中央に鉛筆より少し細い外径で短い筒の芯を設け、Ｃ状の筒の内径を、鉛筆の外径より小さくしており、これは、鉛筆をＣ状の筒本体に差し込むときに、少し広がる事により締め付けが効き固定される。そこで、短い筒の芯の外側を３分割し両側の接合面は接着せず、中央部分とＣ状の筒本体の接合面のみを接着する。
以上の構成よりなる鉛筆継ぎ足しキャップ。
【発明の効果】
【０００６】  Ｃ状の筒本体にテーパーは無く、奥になるほど内径を小さくはしておらず、鉛筆を差し込む時に、奥になるほど力を入れて押し込む事無く、短い筒の芯に当たるまで挿入することが出来る。
奥まで挿入し短い筒の芯に当たり止まる構造で、これ以上動かなくなり確実に止まる。
鉛筆継ぎ足しキャップに挿入した鉛筆の固定は、Ｃ状の筒本体の内径を、鉛筆の外径より小さくしており、これは、鉛筆をＣ状の筒本体に差し込む時に、少し広げて挿入する事で締め付けが効くようになり固定される。
鉛筆を引き抜く時は、Ｃ状の筒で本体両側に、隙間を設けて少し広がる形状により引き抜きやすい。
【図面の簡単な説明】
【０００７】
【図１】本発明の斜視図
【図２】本発明の使用状態を示す斜視図その１
【図３】本発明の使用状態を示す斜視図その２
【図４】図２Ａ−Ａ断面図
【図５】図３Ｂ−Ｂ断面図
【図６】本発明の芯の斜視図
【発明を実施するための形態】
【０００８】（イ）Ｃ状の筒本体（１）にテーパーは無く、奥になるほど内径を小さくはしておらず、      芯（２）の外径を鉛筆（１７）より小さくすることで、本体（１）の内径が鉛筆（      １７）の外径より小さくなる。
（ロ）上記の構造により、鉛筆（１７）をＣ状の筒本体（１）に差し込む時に、少し広げ      て挿入する事で締め付けが効くようになり、鉛筆（１７）と本体（１）が固定され      る。
（ハ）短い筒の芯（２）は外径を鉛筆（１７）より少し小さく細くし、内部は空間の筒状      で、芯（２）の外側に、Ｃ状の筒本体（１）と芯（２）を接着固定するとき接着範      囲が絞られるように、溝（２３）を２本設け、この２本の溝（２３）で芯（２）の      外側を３分割し、芯（２）の外側中央には、溝（２３）と溝（２３）の間に接着面      （２１）を設け、溝（２３）と芯の端（２４）の間は伸びしろ（２２）を両側に設      け、本体（１）内の中央に芯（２）を挿入し、接着面（２１）のみで本体（１）と      芯（２）を接着固定する。
（ニ）短い筒の芯（２）の伸びしろ（２２）はＣ状の筒本体（１）との接合面を接着して      おらず、鉛筆（１７）を挿入するとき本体（１）が広がり芯の端（２４）に当たる      まで鉛筆の後部（１２）が入り、それと、芯（２）の接着面（２１）と本体（１）      を接着固定しており、この部分は鉛筆（１７）や鉛筆（１８）を挿入した時も形状      が変わることは無く、締め付けが効くようになる。
（ホ）鉛筆（１７）を奥まで挿入し、芯の端（２４）に当たり止まる構造で、これ以上奥      に入る事無く確実に止まる。
（ヘ）Ｃ状の筒本体（１）の両側に隙間（３）を設け、少し広がる形状で引き抜きやすく      なる。
本発明は以上のような構造である。
本発明を使用するときは、Ｃ状の筒本体（１）の挿入口（５）に鉛筆の後部（１２）を斜めに当てながら押すと挿入口（５）が広がり鉛筆（１７）が入り、そのまま鉛筆（１７）を押し込むと、伸びしろ（２２）と本体（１）の接合面は接着しておらず、鉛筆の後部（１２）が芯の端（２４）に当たるまで入り止まる。
鉛筆の先（１１）をＣ状の筒本体（１）の挿入口（５）に挿入するときは、そのまま奥まで差し込み、鉛筆の先の芯（１３）が短い筒の芯（２）の中、空間（４）に入り、鉛筆の先を切削した木部が芯の端（２４）に当たり止まる。
分離するときは、鉛筆（１７）と本体（１）を別々の手で持ち引き抜くと外れる。
【符号の説明】
【０００９】  １  本体、            ２  芯、              ３  隙間、
４  空間、            ５  挿入口、
１１  鉛筆の先、      １２  鉛筆の後部、    １３  鉛筆の先の芯、
１７  鉛筆（イ）、    １８  鉛筆（ロ）、
２１  接着面、        ２２  伸びしろ、      ２３  溝、
２４  芯の端
【図１】
2017132241.tif 000003
【図２】
2017132241.tif 000004
【図３】
2017132241.tif 000005
【図４】
2017132241.tif 000006
【図５】
2017132241.tif 000007
【図６】
2017132241.tif 000008